(57)【要約】【課題】本発明は、どのような顔面の形状であっても、顔面用中空部から空気が漏れることがなく、しかも顔面の痛みを伴わないとともに呼吸器用面体を装着し直す必要のない呼吸器用面体及び接顔補助具を提供することを目的とする。【解決手段】本発明の呼吸器用面体１０を、アイピース１８と、接顔体２０と、アイピース１８及び接顔体２０を顔面２６の前方に固定するバンド（固定手段）２８と、吸気供給部１６と、顔面用中空部２２の呼気を排出する呼気排気部３０と、接顔体２０に沿って密着固定されたバルーン（接顔用中空体）３２と、顔面用中空部２２からバルーン３２内へ、又はバルーン３２内から顔面用中空部２２へ、空気が通過する通気孔３４と、を備えて構成した。【選択図】図１
2013169327.tif 000002
【特許請求の範囲】
【請求項１】
透明体から成るアイピースと、
前記アイピースの周囲に固定された接顔体と、
前記アイピース及び前記接顔体によって形成される顔面用中空部が目、鼻及び口を覆う状態で、該アイピース及び該接顔体を顔面の前方に固定する固定手段と、
ボンベから導管を介して前記顔面用中空部に空気が供給される吸気供給部と、
前記顔面用中空部の呼気の排気を行う呼気排気部と、
前記接顔体に沿って密着固定された接顔用中空体と、
を備えた呼吸器用面体。
【請求項２】
前記接顔用中空体内と前記顔面用中空部との通気を行う通気手段を備えた請求項１に記載する呼吸器用面体。
【請求項３】
前記通気手段が、前記顔面用中空部から前記接顔用中空体内へ、又は該接顔用中空体内から該顔面用中空部へ、空気が通過する通気孔である請求項２に記載する呼吸器用面体。
【請求項４】
前記接顔体が、前記アイピースとともに前記顔面用中空部を形成する接顔体本体と、該接顔体本体から該顔面用中空部側へ延びる接顔部とから構成され、前記通気孔が、該接顔部に設けられた請求項３に記載する呼吸器用面体。
【請求項５】
透明体から成るアイピースと、前記アイピースの周囲に固定された接顔体と、前記アイピース及び前記接顔体によって形成される顔面用中空部が目、鼻及び口を覆う状態で、該アイピース及び該接顔体を顔面の前方に固定する固定手段と、導管を介して前記顔面用中空部に空気が供給される吸気供給部と、前記顔面用中空部の呼気の排気を行う呼気排気部と、を備えた呼吸器用面体に着脱可能に取り付けることができ、
前記顔面に密着させる接顔用中空体と、
前記接顔用中空体を前記接顔体に沿って着脱可能に密着固定する固着手段と、
を備えた接顔補助具。
【請求項６】
前記接顔用中空体内と前記顔面用中空部との通気を行う通気手段を備えた接顔補助具。
【請求項７】
前記通気手段が、前記顔面用中空部から前記接顔用中空体内へ、又は該接顔用中空体内から該顔面用中空部へ、空気が通過する通気孔である請求項６に記載する接顔補助具。
【発明の詳細な説明】
【技術分野】
【０００１】
本発明は、顔面に装着した状態でボンベ等から空気が供給され、供給された空気によって呼吸ができる呼吸器用面体、及び呼吸器用面体の接顔を補助する接顔補助具に関する。
【背景技術】
【０００２】
従来から酸素欠乏や人体に有害なガスの発生する火災現場などにおいては、消防士の呼吸器系を保護するために、呼吸用保護具が用いられている。呼吸用保護具の面体は顔面に装着した状態で空気ボンベ等か陽圧の空気が供給され、供給された空気によって呼吸ができる。例えば、図９及び図１０に示す呼吸器用面体１は、空気呼吸に用いられ、透明体から成るアイピース５と、アイピース５の周囲に沿って固定された接顔体６と、アイピース５及び接顔体６によって形成される顔面用中空部が目、鼻及び口を覆う状態で、アイピース５及び接顔体６を顔面の前方に固定するバンド（固定手段）８と、図示しない空気ボンベから、図示しない減圧弁、導管３及び供給弁２を介して陽圧の空気が供給される吸気供給部４と、空気を排出する呼気排気部９と、を備えて構成されている。
【０００３】
また、この呼吸器用面体に関して、種々の案出がなされ、出願されている（特許文献１及び特許文献２参照。）。特許文献１には、ピン部材を左右方向だけでなく上下方向にも形成すること等により、呼吸器用面体と空気供給弁との着脱機構の安全性と経済性とを高めることのできる呼吸器用面体について記載されている。特許文献２には、布製ベルトを除く構成部材のそれぞれを導電性素材で構成することにより、帯電防止対策を施した呼吸器用面体について記載されている。
【０００４】
しかし、顔面の形状は様々であり、顔面の形状によっては、接顔体が顔面に部分的に密着しないこともあり、アイピース及び接顔体によって形成される顔面用中空部から空気が漏れることがあった。一方で、顔面用中空部から空気が漏れないようにバンドを顔面へ強く締め付けると、顔面に強い圧力が加わり顔面の痛みを伴う。また、呼吸器用面体に外力が加わることに等より顔面に対して移動し、接顔体が部分的に顔面から離隔した場合に、顔面用中空部から空気が漏れないように呼吸器用面体を装着し直すことは、火事現場を離れて行わなければならず、消火作業に支障をきたすこととなる。
【先行技術文献】
【特許文献】
【０００５】
【特許文献１】特開平７−８５６８号公報
【特許文献２】特開平９−２８５５５８号公報
【発明の概要】
【発明が解決しようとする課題】
【０００６】
本発明は、どのような顔面の形状であっても、顔面用中空部から空気が漏れることがなく、しかも顔面の痛みを伴わないとともに、空気が漏れないように装着し直す必要のない呼吸器用面体及び接顔補助具を提供することを目的とする。
【課題を解決するための手段】
【０００７】
本発明の呼吸器用面体は、透明体から成るアイピースと、前記アイピースの周囲に固定された接顔体と、前記アイピース及び前記接顔体によって形成される顔面用中空部が目、鼻及び口を覆う状態で、該アイピース及び該接顔体を顔面の前方に固定する固定手段と、ボンベから導管を介して前記顔面用中空部に陽圧の空気が供給される吸気供給部と、前記顔面用中空部の呼気の排気を行う呼気排気部と、前記接顔体に沿って密着固定された接顔用中空体と、を備えたことを特徴とする。
【０００８】
また、本発明の呼吸器用面体は、前記呼吸器用面体において、前記接顔用中空体内と前記顔面用中空部との通気を行う通気手段を備えたことを特徴とする。
【０００９】
また、本発明の呼吸器用面体は、前記呼吸器用面体において、前記通気手段が、前記顔面用中空部から前記接顔用中空体内へ、又は該接顔用中空体内から該顔面用中空部へ、空気が通過する通気孔であることを特徴とする。
【００１０】
また、本発明の呼吸器用面体は、前記呼吸器用面体において、前記接顔体が、前記アイピースとともに前記顔面用中空部を形成する接顔体本体と、該接顔体本体から該顔面用中空部側へ延びる接顔部とから構成され、前記通気孔が、該接顔部に設けられたことを特徴とする。
【００１１】
また、本発明の接顔補助具は、透明体から成るアイピースと、前記アイピースの周囲に固定された接顔体と、前記アイピース及び前記接顔体によって形成される顔面用中空部が目、鼻及び口を覆う状態で、該アイピース及び該接顔体を顔面の前方に固定する固定手段と、導管を介して前記顔面用中空部に空気が供給される吸気供給部と、前記顔面用中空部の呼気の排気を行う呼気排気部と、を備えた呼吸器用面体に着脱可能に取り付けることができ、前記顔面に密着させる接顔用中空体と、前記接顔用中空体を前記接顔体に沿って着脱可能に密着固定する固着手段と、を備えたことを特徴とする。
【００１２】
また、本発明の接顔補助具は、前記接顔補助具において、前記接顔用中空体内と前記顔面用中空部との通気を行う通気手段を備えたことを特徴とする。
【００１３】
また、本発明の接顔補助具は、前記接顔補助具において、前記通気手段が、前記顔面用中空部から前記接顔用中空体内へ、又は該接顔用中空体内から該顔面用中空部へ、空気が通過する通気孔であることを特徴とする。
【発明の効果】
【００１４】
本発明の呼吸器用面体及び接顔補助具によれば、接顔用中空体が顔面の形状に対応して変形するため、どのような顔面の形状であっても顔面用中空部からの空気の漏れを防止できる。しかも、通気手段によって顔面用中空部及び接顔用中空部の圧力を同一とすることにより、接顔用中空体から顔面に強い圧力を加えなくとも空気の漏れを防止でき、顔面の痛みを伴うことがない。すなわち、通気手段を設けない場合には、接顔用中空体の張力に抗して接顔用中空体が顔面の形状に対応して変形する程度に接顔用中空体から顔面に強い圧力を加える必要があるのに対して、通気手段を設けた場合には、接顔用中空体が顔面の形状に対応して変形しながらも接顔用中空体内から顔面用中空部へ空気が逃げるため、顔面用中空部内の圧力は大気圧より少し高い圧力であり、接顔用中空体の張力は、通気手段を設けない場合よりも小さくなり、通気手段を設けない場合程には顔面に強い圧力が加わることがない。また、呼吸器用面体に外力が加わることに等より顔面に対して移動し、接顔用中空体が部分的に顔面から離隔した場合でも、顔面用中空部から接顔用中空体内へ通過した空気がその離隔した部分に送られ、その離隔した部分において接顔用中空体が顔面に接触するように膨張変形する。このため、呼吸器用面体を装着し直すことなく顔面用中空部からの空気の漏れを防止でき、作業に支障をきたすことがない。
【図面の簡単な説明】
【００１５】
【図１】本発明に係る呼吸器用面体を示す背面図である。
【図２】図１に示す呼吸器用面体を示す図であり、同図（ａ）はＡ−Ａ線切断部一部拡大端面図であり、同図（ｂ）はＢ−Ｂ線切断部一部拡大端面図である。
【図３】図１に示す呼吸器用面体の側面図である。
【図４】図１に示す呼吸器用面体の使用状態を示すＡ−Ａ線切断部拡大端面図である。
【図５】図１に示す呼吸器用面体の使用状態を示すＢ−Ｂ線切断部一部拡大端面図である。
【図６】本発明に係る接顔補助具を示す一部平面断面図である。
【図７】本発明に係る呼吸器用面体の他の実施形態を示す背面図である。
【図８】本発明に係る呼吸器用面体の更に他の実施形態を示す一部平面断面図である。
【図９】従来の呼吸器用面体を示す図であり、同図（ａ）は正面図であり、同図（ｂ）は背面図である。
【図１０】図９に示す呼吸器用面体の側面図である。
【発明を実施するための形態】
【００１６】
次に、本発明の実施形態について、図面に基づいて詳細に説明する。図１〜図５において、符号１０は、本発明の呼吸器用面体である。
【００１７】
呼吸器用面体１０は、空気ボンベ（ボンベ）から陽圧の空気が供給される空気呼吸用であり、透明体から成るアイピース１８と、アイピース１８の周囲に固定された接顔体２０と、アイピース１８及び接顔体２０によって形成される顔面用中空部２２が目、鼻及び口を覆う状態で、アイピース１８及び接顔体２０を顔面２６の前方に固定するバンド（固定手段）２８と、図示しない空気ボンベから、図示しない減圧弁、導管１４及び供給弁１５を介して顔面用中空部２２に陽圧の空気が供給される吸気供給部１６と、顔面用中空部２２の呼気の排気を行う呼気排気部３０と、接顔体２０に沿って密着固定されたバルーン（接顔用中空体）３２と、バルーン３２内と顔面用中空部２２との通気を行う通気手段３４と、を備えて構成されている。通気手段３４は、顔面用中空部２２からバルーン３２内へ、又はバルーン３２内から顔面用中空部２２へ、空気が通過する通気孔から構成されている。陽圧とは、大気圧よりも大きい圧力を言う。
【００１８】
接顔体２０は、図２に示すように、アイピース１８に連続しアイピース１８とともに顔面用中空部２２を形成し、下部に吸気供給部１６及び呼気排気部３０が設けられる接顔体本体３６と、接顔体本体３６において顔面用中空部２２からの空気を漏らさず気密を保持するために顔面２６に接顔し密着するための接顔部３８とから構成されている。また、接顔部３８の長手方向に沿って突条部３９が設けられている。接顔体２０の材質は、消火作業に用いる場合には、耐熱性を有するものであれば特に限定されず、例えばスチレン系エラストマーが選択される。
【００１９】
バルーン３２は、図１に示すように、接顔部３８の長手方向に沿ってリング状に延び、図２に示すように、短手方向の一端４０及び他端４２が接顔部３８に密着固定されることにより、接顔用中空部４４を形成している。
【００２０】
通気孔（通気手段）３４は、図１及び図２（ｂ）に示すように、接顔体２０の接顔部３８の突条部３９に、４個均等に配置されて設けられており、バルーン３２が部分的に押し潰されてもバルーン３２内に空気が供給されるように構成されている。接顔部３８側に通気孔３４を設けることにより、通気孔３４が顔面２６によって塞がれることはなく、通気孔３４の通気性が維持される。通気孔３４の数量や形状は、顔面用中空部２２からバルーン３２内へ、又はバルーン３２内から顔面用中空部２２へ、空気が円滑に通過すれば特に限定されない。バルーン３２の材質は、弾力性を有するものであれば特に限定されず、消火作業に用いる場合には、弾力性及び耐熱性を有するものであれば特に限定されず、例えば天然ゴム又は合成ゴムが選択される。
【００２１】
吸気供給部１６、アイピース１８、バンド２８、及び呼気排気部３０の構成は、従来の呼吸器用面体と同様であるため、詳細な説明は省略する。なお、図１及び図４において、符号１２は、呼吸器用面体１０を装着した使用者の呼気によってアイピース１８が曇るのを防止するために鼻４６を覆うノーズカップである。
【００２２】
このような呼吸器用面体１０を空気呼吸器に使用する場合の作用効果について、以下に説明する。
【００２３】
使用者は、まず、空気ボンベのバルブを開き、呼吸器用面体１０を顔面２６に取り付けてバンド２８を締め付けることにより、呼吸器用面体１０を顔面に固定する。呼吸器用面体１０を顔面２６に取り付けた状態で、手動陽圧切替型の場合は手動により、自動陽圧切替型の場合は呼吸による吸気により、吸気供給部１６を介して顔面用中空部２２へ空気が供給され、通気孔３４を介して接顔用中空部４４へも空気が供給され、バルーン３２が膨らむ。この状態で、使用者は、顔面用中空部２２の空気を吸引し、呼気排気部３０から排出する。
【００２４】
この時、バルーン３２が顔面形状に応じて、バルーン３２の断面方向に拡縮又は変形するため、バルーン３２と顔面２６との密着性が維持され、顔面用中空部２２と大気との気密性が維持されている。
【００２５】
ここで、空気ボンベから送られる空気の圧力は陽圧であるため、顔面用中空部２２及び接顔用中空部４４の圧力は陽圧となる。また、通気孔３４により、顔面用中空部２２からバルーン３２内へ、又はバルーン３２内から顔面用中空部２２へ、空気が円滑に通過するため、顔面用中空部２２及び接顔用中空部４４の圧力は同一のＰ１となる。例えば、Ｐ１は、１．１気圧以上２．０気圧未満である。すなわち、図５に示すように、大気の圧力をＰ０、顔面用中空部２２及び接顔用中空部４４の圧力をＰ１とすると、Ｐ１＞Ｐ０の関係がある。また、バルーン３２が収縮しようとする弾性力をＲ１、顔面２６からバルーン３２へ付加される反力をＮ１とすると、顔面２６とバルーン３２との接触部Ｃにおいては、Ｒ１＋Ｎ１＝Ｐ１となり、大気とバルーン３２との接触部Ｄにおいては、Ｐ０＋Ｒ１＝Ｐ１となり、各力が釣り合っている。Ｐ１は、流量を制御できる供給弁１５及び呼気排気部３０が備える図示しない逆流防止弁により略一定にできる。
【００２６】
このような呼吸器用面体１０によれば、バルーン３２が顔面２６の形状に対応して変形するため、どのような顔面２６の形状であっても顔面用中空部２２からの空気漏れを防止できる。しかも、通気孔３４によって顔面用中空部２２及び接顔用中空部４４の圧力を同一のＰ１とすることにより、バルーン３２から顔面２６へ強い圧力を加えなくとも空気漏れを防止でき、顔面２６の痛みを伴うことがない。すなわち、通気孔３４を設けない場合には、バルーン３２の張力に抗してバルーン３２が顔面２６の形状に対応して変形する程度にバルーン３２から顔面２６へ強い圧力を加える必要があるのに対して、通気孔３４を設けた場合には、バルーン３２が顔面２６の形状に対応して変形しながらもバルーン３２内から顔面用中空部２２へ空気が逃げるため、バルーン３２内の圧力は大気圧Ｐ０より少し高いＰ１であり、バルーン３２の張力は、通気孔３４を設けない場合よりも小さくなり、通気孔３４を設けない場合程にはバルーン３２から顔面２６へ強い圧力を加える必要がない。また、呼吸器用面体１０に外力等が加わることによりバルーン３２が部分的に顔面２６から離隔した場合には、顔面用中空部２２からバルーン３２内へ通過した空気がその離隔した部分に送られ、その離隔した部分においてバルーン３２が顔面２６に接触するように膨張変形する。このため、呼吸器用面体１０を装着し直すことなく顔面用中空部２２からの空気漏れを防止でき、作業に支障をきたすことがない。
【００２７】
また、呼吸器用面体１０によれば、通気孔３４により、顔面用中空部２２からバルーン３２内へ、又はバルーン３２内から顔面用中空部２２へ、空気が円滑に通過するため、バルーン３２全体が拡縮することが可能である。このため、呼気等によって顔面用中空部２２の圧力Ｐ１が高まった場合には、顔面用中空部２２及びバルーン３２が膨張し、吸気等によって顔面用中空部２２の圧力Ｐ１が低くなった場合には、顔面用中空部２２及びバルーン３２が収縮し、バルーン３２が顔面２６から離隔することがない。よって、バルーン３２と顔面２６との密着性が維持され、顔面用中空部２２から空気が漏れるのを防止できる。
【００２８】
また、本発明の呼吸器用面体１０は、顔面用中空部２２及びバルーン３２内の通気を行うのがバルーン３２の表面積に比して総断面積が小さい通気孔３４であるため、作業中に建築物に当たる等によって衝撃が加わった場合、衝撃が加わった瞬間には、直ぐにはバルーン３２内から顔面用中空部２２へ通気孔３４を介して空気が通過せず、衝撃が加わった後は、バルーン３２内から顔面用中空部２２へ通気孔３４を介して空気が通過し、バルーン３２内の圧力が低下するため、バルーン３２の反発力によってバルーン３２が顔面２６から離隔することはない。これに対して、通気孔３４を設けない場合には、衝撃が加わった直後に、バルーン３２の反発力によってバルーン３２が顔面２６から離隔し、顔面用中空部２２からの空気漏れが生じることがある。
【００２９】
ここで、バルーン３２に通気孔３４を設ける場合と設けない場合についての作用効果の違いについて、本発明者が試験を行った結果、通気孔３４を設けた場合の方が、呼吸器用面体１０が顔面２６に対して安定することが判明した。すなわち、バルーン３２に空気を入れて密閉した状態で凹凸部へ押圧すると、バルーン３２内の空気の行き場がなく、バルーン３２の反発力によってバルーン３２の凹凸部に対する位置が安定しない。一方で、バルーン３２を通気孔３４を介して陽圧空気で膨らませた場合には、バルーン３２の凹凸部に対する位置が一定のままで凹部に陽圧の空気が送られ、凹部のみでバルーン３２が膨らみ凹凸部に対する位置が安定する。
【００３０】
以上、本発明の一実施形態について説明したが、本発明は上述の実施形態のみに限定されない。
【００３１】
例えば、図６に示す本願発明に係る接顔補助具５０を示す。接顔補助具５０は、アイピース１８と、接顔体２０と、バンド２８と、吸気供給部１６と、呼気排気部３０と、を備えた呼吸器用面体１００に着脱可能に取り付けることができ、顔面２６に密着させるバルーン３２と、バルーン３２内及び顔面用中空部２２間の通気を行う通気孔３４と、バルーン３２を接顔体２０に沿って着脱可能に密着固定する接着剤（固着手段）５２と、を備えて構成されている。接着剤５２は、バルーン３２と接顔部３８とを空気漏れしないようにシールできるとともに、交換等のために取り外す時には剥離できるものが好ましい。例えば、チューブレスタイヤを自転車のリムに固定するリムセメントが好ましい。このような接顔補助具５０によれば、通常の呼吸器用面体１００に着脱可能に取り付けることにより、バルーン３２内及び顔面用中空部２２の圧力を同一のＰ１とすることができ、呼吸器用面体１０と同様の効果を生じさせることができる。なお、接着剤５２の代替として両面テープ、粘着テープ、面ファスナー等を使用してもよい。
【００３２】
また、本発明の呼吸器用面体１０において、通気手段は図７に示すパイプ５４であってもよい。パイプ５４は、バルーン３２に接続された中空体接続部５６と、中空体接続部５６から二股に分かれ、顔面用中空部２２との間で通気可能な二股部５８と、から構成されている。二股部５８は呼気排気部３０の上部の空間に通じている。パイプ５４の材質は、ゴムや樹脂等、特に限定されない。この場合においても、顔面用中空部２２からバルーン３２内へ、又はバルーン３２内から顔面用中空部２２へ、パイプ５４を介して空気が円滑に通過し、バルーン３２内及び顔面用中空部２２の圧力を同一のＰ１とすることができる。この場合、パイプ５４が吸気供給部１６の近辺に設けられているため、空気ボンベからの空気の供給を開始した時に、吸気供給部１６から供給された空気は、先ずパイプ５４を通過してバルーン３２内へ供給されるため、顔面用中空部２２の圧力が急激に上昇して空気が漏れるのを防止できる。
【００３３】
また、本発明の呼吸器用面体１０において、図８に示すように、バルーン３２を並行に２個設け、各バルーン３２に対応する通気孔３４を設けてもよい。この場合においても、顔面用中空部２２から２個のバルーン３２内へ、又は２個のバルーン３２内から顔面用中空部２２へ、空気が円滑に通過し、２個のバルーン３２内及び顔面用中空部２２の圧力を同一のＰ１とすることができる。ここで、２個のバルーン３２の間の隙間６０は、バンド２８の締め付けによって大気圧Ｐ０から圧縮するため、隙間６０内の圧力Ｐ２は、陽圧を圧縮したバルーン３２内の圧力Ｐ１よりも小さい。このため、隙間６０は、顔面２６を吸引し、バルーン３２の顔面２６に対する密着性をより高めることができる。
【００３４】
以上、本発明の実施形態について図面に基づいて説明したが、本発明は図示した実施形態に限定されない。例えば、上述の実施形態においては本発明を空気呼吸に使用する場合について説明したが、酸素呼吸に使用してもよい。また、通気手段を、顔面用中空部２２からバルーン３２内へのみ空気を通過させるための弁を設けた通気孔、及びバルーン３２内から顔面用中空部２２へのみ空気を通過させるための弁を設けた通気孔から構成してもよい。
【産業上の利用可能性】
【００３５】
本発明の呼吸器用面体及び接顔補助具は、どのような顔面の形状であっても顔面用中空部からの空気の漏れを防止できる。しかも、顔面に強い圧力を加えなくとも空気の漏れを防止でき、顔面の痛みを伴うことがない。また、呼吸器用面体に外力が加わることに等より顔面に対して移動し、接顔用中空体が部分的に顔面から離隔した場合でも、呼吸器用面体を装着し直すことなく顔面用中空部からの空気の漏れを防止でき、作業に支障をきたすことがない。このため、火災の現場、化学工場、鉱山等において用いる呼吸器用面体として広く利用できる。
【符号の説明】
【００３６】
１０：呼吸器用面体
１４：導管
１６：吸気供給部
１８：アイピース
２０：接顔体
２２：顔面用中空部
２６：顔面
２８：バンド（固定手段）
３０：呼気排気部
３２：バルーン（接顔用中空体）
３４：通気孔（通気手段）
３６：接顔体本体
３８：接顔部
３９：突条部
４４：接顔用中空部
４６：鼻
５４：パイプ（通気手段）
【図１】
2013169327.tif 000003
【図２】
2013169327.tif 000004
【図３】
2013169327.tif 000005
【図４】
2013169327.tif 000006
【図５】
2013169327.tif 000007
【図６】
2013169327.tif 000008
【図７】
2013169327.tif 000009
【図８】
2013169327.tif 000010
【図９】
2013169327.tif 000011
【図１０】
2013169327.tif 000012
【手続補正書】
【提出日】平成24年2月22日(2012.2.22)
【手続補正１】
【補正対象書類名】特許請求の範囲
【補正対象項目名】全文
【補正方法】変更
【補正の内容】
【特許請求の範囲】
【請求項１】
透明体から成るアイピースと、
前記アイピースの周囲に固定された接顔体と、
前記アイピース及び前記接顔体によって形成される顔面用中空部が目、鼻及び口を覆う状態で、該アイピース及び該接顔体を顔面の前方に固定する固定手段と、
ボンベから導管を介して前記顔面用中空部に空気が供給される吸気供給部と、
前記顔面用中空部の呼気の排気を行う呼気排気部と、
前記接顔体に沿って密着固定された接顔用中空体と、
を備えた呼吸器用面体。
【請求項２】
前記接顔用中空体内と前記顔面用中空部との通気を行う通気手段を備えた請求項１に記載する呼吸器用面体。
【請求項３】
前記通気手段が、前記顔面用中空部から前記接顔用中空体内へ、又は該接顔用中空体内から該顔面用中空部へ、空気が通過する通気孔である請求項２に記載する呼吸器用面体。
【請求項４】
前記接顔体が、前記アイピースとともに前記顔面用中空部を形成する接顔体本体と、該接顔体本体から該顔面用中空部側へ延びる接顔部とから構成され、前記通気孔が、該接顔部に設けられた請求項３に記載する呼吸器用面体。
【請求項５】
透明体から成るアイピースと、前記アイピースの周囲に固定された接顔体と、前記アイピース及び前記接顔体によって形成される顔面用中空部が目、鼻及び口を覆う状態で、該アイピース及び該接顔体を顔面の前方に固定する固定手段と、導管を介して前記顔面用中空部に空気が供給される吸気供給部と、前記顔面用中空部の呼気の排気を行う呼気排気部と、を備えた呼吸器用面体に着脱可能に取り付けることができ、
前記顔面に密着させる接顔用中空体と、
前記接顔用中空体を前記接顔体に沿って着脱可能に密着固定する固着手段と、
を備えた接顔補助具。
【請求項６】
前記接顔用中空体内と前記顔面用中空部との通気を行う通気手段を備えた請求項５に記載する接顔補助具。
【請求項７】
前記通気手段が、前記顔面用中空部から前記接顔用中空体内へ、又は該接顔用中空体内から該顔面用中空部へ、空気が通過する通気孔である請求項６に記載する接顔補助具。
【手続補正書】
【提出日】平成24年6月7日(2012.6.7)
【手続補正１】
【補正対象書類名】特許請求の範囲
【補正対象項目名】全文
【補正方法】変更
【補正の内容】
【特許請求の範囲】
【請求項１】
透明体から成るアイピースと、
前記アイピースの周囲に固定された接顔体と、
前記アイピース及び前記接顔体によって形成される顔面用中空部が目、鼻及び口を覆う状態で、該アイピース及び該接顔体を顔面の前方に固定する固定手段と、
ボンベから導管を介して前記顔面用中空部に陽圧の空気が供給される吸気供給部と、
前記顔面用中空部の呼気の排気を行う呼気排気部と、
前記接顔体に沿って密着固定された接顔用中空体と、
前記接顔用中空体内と前記顔面用中空部との通気を行う通気手段と、
を備え、
前記通気手段が、前記顔面用中空部から前記接顔用中空体内へ、又は該接顔用中空体内から該顔面用中空部へ、空気が通過する通気孔であり、
前記通気孔により前記顔面用中空部及び前記接顔用中空部の圧力が同一であり、
前記接顔体が、前記アイピースとともに前記顔面用中空部を形成する接顔体本体と、該接顔体本体から該顔面用中空部側へ延びる接顔部とから構成され、前記通気孔が、該接顔部に設けられた呼吸器用面体。
【請求項２】
前記接顔用中空体が、接顔部の長手方向に沿ってリング状に延び、短手方向の一端及び他端が接顔部に密着固定されることにより、前記接顔用中空部を形成する請求項１に記載する呼吸器用面体。
【請求項３】
前記通気孔が、前記接顔部の突条部に設けられた請求項１又は２に記載する呼吸器用面体。
【手続補正２】
【補正対象書類名】明細書
【補正対象項目名】全文
【補正方法】変更
【補正の内容】
【発明の詳細な説明】
【技術分野】
【０００１】
本発明は、顔面に装着した状態でボンベ等から空気が供給され、供給された空気によって呼吸ができる呼吸器用面体、及び呼吸器用面体の接顔を補助する接顔補助具に関する。
【背景技術】
【０００２】
従来から酸素欠乏や人体に有害なガスの発生する火災現場などにおいては、消防士の呼吸器系を保護するために、呼吸用保護具が用いられている。呼吸用保護具の面体は顔面に装着した状態で空気ボンベ等から空気が供給され、供給された空気によって呼吸ができる。例えば、図９及び図１０に示す呼吸器用面体１は、空気呼吸に用いられ、透明体から成るアイピース５と、アイピース５の周囲に沿って固定された接顔体６と、アイピース５及び接顔体６によって形成される顔面用中空部が目、鼻及び口を覆う状態で、アイピース５及び接顔体６を顔面の前方に固定するバンド（固定手段）８と、図示しない空気ボンベから、図示しない減圧弁、導管３及び供給弁２を介して空気が供給される吸気供給部４と、空気を排出する呼気排気部９と、を備えて構成されている。
【０００３】
また、この呼吸器用面体に関して、種々の案出がなされ、出願されている（特許文献１及び特許文献２参照。）。特許文献１には、ピン部材を左右方向だけでなく上下方向にも形成すること等により、呼吸器用面体と空気供給弁との着脱機構の安全性と経済性とを高めることのできる呼吸器用面体について記載されている。特許文献２には、布製ベルトを除く構成部材のそれぞれを導電性素材で構成することにより、帯電防止対策を施した呼吸器用面体について記載されている。
【０００４】
しかし、顔面の形状は様々であり、顔面の形状によっては、接顔体が顔面に部分的に密着しないこともあり、アイピース及び接顔体によって形成される顔面用中空部から空気が漏れることがあった。一方で、顔面用中空部から空気が漏れないようにバンドを顔面へ強く締め付けると、顔面に強い圧力が加わり顔面の痛みを伴う。また、呼吸器用面体に外力が加わることに等より顔面に対して移動し、接顔体が部分的に顔面から離隔した場合に、顔面用中空部から空気が漏れないように呼吸器用面体を装着し直すことは、火事現場を離れて行わなければならず、消火作業に支障をきたすこととなる。
【先行技術文献】
【特許文献】
【０００５】
【特許文献１】特開平７−８５６８号公報
【特許文献２】特開平９−２８５５５８号公報
【発明の概要】
【発明が解決しようとする課題】
【０００６】
本発明は、どのような顔面の形状であっても、顔面用中空部から空気が漏れることがなく、しかも顔面の痛みを伴わないとともに、空気が漏れないように装着し直す必要のない呼吸器用面体及び接顔補助具を提供することを目的とする。
【課題を解決するための手段】
【０００７】
本発明の呼吸器用面体は、透明体から成るアイピースと、前記アイピースの周囲に固定された接顔体と、前記アイピース及び前記接顔体によって形成される顔面用中空部が目、鼻及び口を覆う状態で、該アイピース及び該接顔体を顔面の前方に固定する固定手段と、ボンベから導管を介して前記顔面用中空部に陽圧の空気が供給される吸気供給部と、前記顔面用中空部の呼気の排気を行う呼気排気部と、前記接顔体に沿って密着固定された接顔用中空体と、前記接顔用中空体内と前記顔面用中空部との通気を行う通気手段と、を備え、
前記通気手段が、前記顔面用中空部から前記接顔用中空体内へ、又は該接顔用中空体内から該顔面用中空部へ、空気が通過する通気孔であり、前記通気孔により前記顔面用中空部及び前記接顔用中空部の圧力が同一であり、前記接顔体が、前記アイピースとともに前記顔面用中空部を形成する接顔体本体と、該接顔体本体から該顔面用中空部側へ延びる接顔部とから構成され、前記通気孔が、該接顔部に設けられたことを特徴とする。
【０００８】
また、本発明の呼吸器用面体は、前記呼吸器用面体において、前記接顔用中空体が、接顔部の長手方向に沿ってリング状に延び、短手方向の一端及び他端が接顔部に密着固定されることにより、前記接顔用中空部を形成することを特徴とする。
【０００９】
また、本発明の呼吸器用面体は、前記呼吸器用面体において、前記通気孔が、前記接顔部の突条部に設けられたことを特徴とする。
【発明の効果】
【００１０】
本発明の呼吸器用面体及び接顔補助具によれば、接顔用中空体が顔面の形状に対応して変形するため、どのような顔面の形状であっても顔面用中空部からの空気の漏れを防止できる。しかも、通気手段によって顔面用中空部及び接顔用中空部の圧力を同一とすることにより、接顔用中空体から顔面に強い圧力を加えなくとも空気の漏れを防止でき、顔面の痛みを伴うことがない。すなわち、通気手段を設けない場合には、接顔用中空体の張力に抗して接顔用中空体が顔面の形状に対応して変形する程度に接顔用中空体から顔面に強い圧力を加える必要があるのに対して、通気手段を設けた場合には、接顔用中空体が顔面の形状に対応して変形しながらも接顔用中空体内から顔面用中空部へ空気が逃げるため、顔面用中空部内の圧力は大気圧より少し高い圧力であり、接顔用中空体の張力は、通気手段を設けない場合よりも小さくなり、通気手段を設けない場合程には顔面に強い圧力が加わることがない。また、呼吸器用面体に外力が加わることに等より顔面に対して移動し、接顔用中空体が部分的に顔面から離隔した場合でも、顔面用中空部から接顔用中空体内へ通過した空気がその離隔した部分に送られ、その離隔した部分において接顔用中空体が顔面に接触するように膨張変形する。このため、呼吸器用面体を装着し直すことなく顔面用中空部からの空気の漏れを防止でき、作業に支障をきたすことがない。
【図面の簡単な説明】
【００１１】
【図１】本発明に係る呼吸器用面体を示す背面図である。
【図２】図１に示す呼吸器用面体を示す図であり、同図（ａ）はＡ−Ａ線切断部一部拡大端面図であり、同図（ｂ）はＢ−Ｂ線切断部一部拡大端面図である。
【図３】図１に示す呼吸器用面体の側面図である。
【図４】図１に示す呼吸器用面体の使用状態を示すＡ−Ａ線切断部拡大端面図である。
【図５】図１に示す呼吸器用面体の使用状態を示すＢ−Ｂ線切断部一部拡大端面図である。
【図６】本発明に係る接顔補助具を示す一部平面断面図である。
【図７】本発明に係る呼吸器用面体の他の実施形態を示す背面図である。
【図８】本発明に係る呼吸器用面体の更に他の実施形態を示す一部平面断面図である。
【図９】従来の呼吸器用面体を示す図であり、同図（ａ）は正面図であり、同図（ｂ）は背面図である。
【図１０】図９に示す呼吸器用面体の側面図である。
【発明を実施するための形態】
【００１２】
次に、本発明の実施形態について、図面に基づいて詳細に説明する。図１〜図５において、符号１０は、本発明の呼吸器用面体である。
【００１３】
呼吸器用面体１０は、空気ボンベ（ボンベ）から陽圧の空気が供給される空気呼吸用であり、透明体から成るアイピース１８と、アイピース１８の周囲に固定された接顔体２０と、アイピース１８及び接顔体２０によって形成される顔面用中空部２２が目、鼻及び口を覆う状態で、アイピース１８及び接顔体２０を顔面２６の前方に固定するバンド（固定手段）２８と、図示しない空気ボンベから、図示しない減圧弁、導管１４及び供給弁１５を介して顔面用中空部２２に陽圧の空気が供給される吸気供給部１６と、顔面用中空部２２の呼気の排気を行う呼気排気部３０と、接顔体２０に沿って密着固定されたバルーン（接顔用中空体）３２と、バルーン３２内と顔面用中空部２２との通気を行う通気手段３４と、を備えて構成されている。通気手段３４は、顔面用中空部２２からバルーン３２内へ、又はバルーン３２内から顔面用中空部２２へ、空気が通過する通気孔から構成されている。陽圧とは、大気圧よりも大きい圧力を言う。
【００１４】
接顔体２０は、図２に示すように、アイピース１８に連続しアイピース１８とともに顔面用中空部２２を形成し、下部に吸気供給部１６及び呼気排気部３０が設けられる接顔体本体３６と、接顔体本体３６において顔面用中空部２２からの空気を漏らさず気密を保持するために顔面２６に接顔し密着するための接顔部３８とから構成されている。また、接顔部３８の長手方向に沿って突条部３９が設けられている。接顔体２０の材質は、消火作業に用いる場合には、耐熱性を有するものであれば特に限定されず、例えばスチレン系エラストマーが選択される。
【００１５】
バルーン３２は、図１に示すように、接顔部３８の長手方向に沿ってリング状に延び、図２に示すように、短手方向の一端４０及び他端４２が接顔部３８に密着固定されることにより、接顔用中空部４４を形成している。
【００１６】
通気孔（通気手段）３４は、図１及び図２（ｂ）に示すように、接顔体２０の接顔部３８の突条部３９に、４個均等に配置されて設けられており、バルーン３２が部分的に押し潰されてもバルーン３２内に空気が供給されるように構成されている。接顔部３８側に通気孔３４を設けることにより、通気孔３４が顔面２６によって塞がれることはなく、通気孔３４の通気性が維持される。通気孔３４の数量や形状は、顔面用中空部２２からバルーン３２内へ、又はバルーン３２内から顔面用中空部２２へ、空気が円滑に通過すれば特に限定されない。バルーン３２の材質は、弾力性を有するものであれば特に限定されず、消火作業に用いる場合には、弾力性及び耐熱性を有するものであれば特に限定されず、例えば天然ゴム又は合成ゴムが選択される。
【００１７】
吸気供給部１６、アイピース１８、バンド２８、及び呼気排気部３０の構成は、従来の呼吸器用面体と同様であるため、詳細な説明は省略する。なお、図１及び図４において、符号１２は、呼吸器用面体１０を装着した使用者の呼気によってアイピース１８が曇るのを防止するために鼻４６を覆うノーズカップである。
【００１８】
このような呼吸器用面体１０を空気呼吸器に使用する場合の作用効果について、以下に説明する。
【００１９】
使用者は、まず、空気ボンベのバルブを開き、呼吸器用面体１０を顔面２６に取り付けてバンド２８を締め付けることにより、呼吸器用面体１０を顔面に固定する。呼吸器用面体１０を顔面２６に取り付けた状態で、手動陽圧切替型の場合は手動により、自動陽圧切替型の場合は呼吸による吸気により、吸気供給部１６を介して顔面用中空部２２へ空気が供給され、顔面用中空部２２が陽圧状態となることにより、通気孔３４を介して接顔用中空部４４へも空気が供給され、バルーン３２が膨らむ。この状態で、使用者は、顔面用中空部２２の空気を吸引し、呼気排気部３０から排出する。
【００２０】
この時、バルーン３２が顔面形状に応じて、バルーン３２の断面方向に拡縮又は変形するため、バルーン３２と顔面２６との密着性が維持され、顔面用中空部２２と大気との気密性が維持されている。
【００２１】
通気孔３４により、顔面用中空部２２からバルーン３２内へ、又はバルーン３２内から顔面用中空部２２へ、空気が円滑に通過するため、顔面用中空部２２及び接顔用中空部４４の圧力は同一の陽圧Ｐ１となる。例えば、Ｐ１は、１．１気圧以上２．０気圧未満である。すなわち、図５に示すように、大気の圧力をＰ０、顔面用中空部２２及び接顔用中空部４４の圧力をＰ１とすると、Ｐ１＞Ｐ０の関係がある。また、バルーン３２が収縮しようとする弾性力をＲ１、顔面２６からバルーン３２へ付加される反力をＮ１とすると、顔面２６とバルーン３２との接触部Ｃにおいては、Ｒ１＋Ｎ１＝Ｐ１となり、大気とバルーン３２との接触部Ｄにおいては、Ｐ０＋Ｒ１＝Ｐ１となり、各力が釣り合っている。Ｐ１は、流量を制御できる供給弁１５及び呼気排気部３０が備える図示しない逆流防止弁により略一定にできる。
【００２２】
このような呼吸器用面体１０によれば、バルーン３２が顔面２６の形状に対応して変形するため、どのような顔面２６の形状であっても顔面用中空部２２からの空気漏れを防止できる。しかも、通気孔３４によって顔面用中空部２２及び接顔用中空部４４の圧力を同一のＰ１とすることにより、バルーン３２から顔面２６へ強い圧力を加えなくとも空気漏れを防止でき、顔面２６の痛みを伴うことがない。すなわち、通気孔３４を設けない場合には、バルーン３２の張力に抗してバルーン３２が顔面２６の形状に対応して変形する程度にバルーン３２から顔面２６へ強い圧力を加える必要があるのに対して、通気孔３４を設けた場合には、バルーン３２が顔面２６の形状に対応して変形しながらもバルーン３２内から顔面用中空部２２へ空気が逃げるため、バルーン３２内の圧力は大気圧Ｐ０より少し高いＰ１であり、バルーン３２の張力は、通気孔３４を設けない場合よりも小さくなり、通気孔３４を設けない場合程にはバルーン３２から顔面２６へ強い圧力を加える必要がない。また、呼吸器用面体１０に外力等が加わることによりバルーン３２が部分的に顔面２６から離隔した場合には、顔面用中空部２２からバルーン３２内へ通過した空気がその離隔した部分に送られ、その離隔した部分においてバルーン３２が顔面２６に接触するように膨張変形する。このため、呼吸器用面体１０を装着し直すことなく顔面用中空部２２からの空気漏れを防止でき、作業に支障をきたすことがない。
【００２３】
また、呼吸器用面体１０によれば、通気孔３４により、顔面用中空部２２からバルーン３２内へ、又はバルーン３２内から顔面用中空部２２へ、空気が円滑に通過するため、バルーン３２全体が拡縮することが可能である。このため、呼気等によって顔面用中空部２２の圧力Ｐ１が高まった場合には、顔面用中空部２２及びバルーン３２が膨張し、吸気等によって顔面用中空部２２の圧力Ｐ１が低くなった場合には、顔面用中空部２２及びバルーン３２が収縮し、バルーン３２が顔面２６から離隔することがない。よって、バルーン３２と顔面２６との密着性が維持され、顔面用中空部２２から空気が漏れるのを防止できる。
【００２４】
また、本発明の呼吸器用面体１０は、顔面用中空部２２及びバルーン３２内の通気を行うのがバルーン３２の表面積に比して総断面積が小さい通気孔３４であるため、作業中に建築物に当たる等によって衝撃が加わった場合、衝撃が加わった瞬間には、直ぐにはバルーン３２内から顔面用中空部２２へ通気孔３４を介して空気が通過せず、衝撃が加わった後は、バルーン３２内から顔面用中空部２２へ通気孔３４を介して空気が通過し、バルーン３２内の圧力が低下するため、バルーン３２の反発力によってバルーン３２が顔面２６から離隔することはない。これに対して、通気孔３４を設けない場合には、衝撃が加わった直後に、バルーン３２の反発力によってバルーン３２が顔面２６から離隔し、顔面用中空部２２からの空気漏れが生じることがある。
【００２５】
ここで、バルーン３２に通気孔３４を設ける場合と設けない場合についての作用効果の違いについて、本発明者が試験を行った結果、通気孔３４を設けた場合の方が、呼吸器用面体１０が顔面２６に対して安定することが判明した。すなわち、バルーン３２に空気を入れて密閉した状態で凹凸部へ押圧すると、バルーン３２内の空気の行き場がなく、バルーン３２の反発力によってバルーン３２の凹凸部に対する位置が安定しない。一方で、バルーン３２を通気孔３４を介して顔面用中空部２２の陽圧空気で膨らませた場合には、バルーン３２の凹凸部に対する位置が一定のままで凹部に陽圧の空気が送られ、凹部のみでバルーン３２が膨らみ凹凸部に対する位置が安定する。
【００２６】
以上、本発明の一実施形態について説明したが、本発明は上述の実施形態のみに限定されない。
【００２７】
例えば、図６に示す本願発明に係る接顔補助具５０を示す。接顔補助具５０は、アイピース１８と、接顔体２０と、バンド２８と、吸気供給部１６と、呼気排気部３０と、を備えた呼吸器用面体１００に着脱可能に取り付けることができ、顔面２６に密着させるバルーン３２と、バルーン３２内及び顔面用中空部２２間の通気を行う通気孔３４と、バルーン３２を接顔体２０に沿って着脱可能に密着固定する接着剤（固着手段）５２と、を備えて構成されている。接着剤５２は、バルーン３２と接顔部３８とを空気漏れしないようにシールできるとともに、交換等のために取り外す時には剥離できるものが好ましい。例えば、チューブレスタイヤを自転車のリムに固定するリムセメントが好ましい。このような接顔補助具５０によれば、通常の呼吸器用面体１００に着脱可能に取り付けることにより、バルーン３２内及び顔面用中空部２２の圧力を同一のＰ１とすることができ、呼吸器用面体１０と同様の効果を生じさせることができる。なお、接着剤５２の代替として両面テープ、粘着テープ、面ファスナー等を使用してもよい。
【００２８】
また、本発明の呼吸器用面体１０において、通気手段は図７に示すパイプ５４であってもよい。パイプ５４は、バルーン３２に接続された中空体接続部５６と、中空体接続部５６から二股に分かれ、顔面用中空部２２との間で通気可能な二股部５８と、から構成されている。二股部５８は呼気排気部３０の上部の空間に通じている。パイプ５４の材質は、ゴムや樹脂等、特に限定されない。この場合においても、顔面用中空部２２からバルーン３２内へ、又はバルーン３２内から顔面用中空部２２へ、パイプ５４を介して空気が円滑に通過し、バルーン３２内及び顔面用中空部２２の圧力を同一のＰ１とすることができる。
【００２９】
また、本発明の呼吸器用面体１０において、図８に示すように、バルーン３２を並行に２個設け、各バルーン３２に対応する通気孔３４を設けてもよい。この場合においても、顔面用中空部２２から２個のバルーン３２内へ、又は２個のバルーン３２内から顔面用中空部２２へ、空気が円滑に通過し、２個のバルーン３２内及び顔面用中空部２２の圧力を同一のＰ１とすることができる。ここで、２個のバルーン３２の間の隙間６０は、バンド２８の締め付けによって大気圧Ｐ０から圧縮するため、隙間６０内の圧力Ｐ２は、陽圧を圧縮したバルーン３２内の圧力Ｐ１よりも小さい。このため、隙間６０は、顔面２６を吸引し、バルーン３２の顔面２６に対する密着性をより高めることができる。
【００３０】
以上、本発明の実施形態について図面に基づいて説明したが、本発明は図示した実施形態に限定されない。例えば、上述の実施形態においては本発明を空気呼吸に使用する場合について説明したが、酸素呼吸に使用してもよい。また、通気手段を、顔面用中空部２２からバルーン３２内へのみ空気を通過させるための弁を設けた通気孔、及びバルーン３２内から顔面用中空部２２へのみ空気を通過させるための弁を設けた通気孔から構成してもよい。
【産業上の利用可能性】
【００３１】
本発明の呼吸器用面体及び接顔補助具は、どのような顔面の形状であっても顔面用中空部からの空気の漏れを防止できる。しかも、顔面に強い圧力を加えなくとも空気の漏れを防止でき、顔面の痛みを伴うことがない。また、呼吸器用面体に外力が加わることに等より顔面に対して移動し、接顔用中空体が部分的に顔面から離隔した場合でも、呼吸器用面体を装着し直すことなく顔面用中空部からの空気の漏れを防止でき、作業に支障をきたすことがない。このため、火災の現場、化学工場、鉱山等において用いる呼吸器用面体として広く利用できる。
【符号の説明】
【００３２】
１０：呼吸器用面体
１４：導管
１６：吸気供給部
１８：アイピース
２０：接顔体
２２：顔面用中空部
２６：顔面
２８：バンド（固定手段）
３０：呼気排気部
３２：バルーン（接顔用中空体）
３４：通気孔（通気手段）
３６：接顔体本体
３８：接顔部
３９：突条部
４４：接顔用中空部
４６：鼻
５４：パイプ（通気手段）